(57)【特許請求の範囲】
【請求項１】
上向突出する駆動軸を備えるジューサー本体に取り付けられ、汁を搾るジューサー用搾汁モジュールにおいて、
前記ジューサー本体に取り付けられ、上面が開放され、下端に汁排出口と滓排出口がそれぞれ備えられ、内部床面には連動ギアが備えられる搾汁ドラムと、
前記搾汁ドラムの上面を覆うように取り付けられ、上側には投入口が備えられる蓋と、
前記搾汁ドラムの内部に回転可能に取り付けられ、外面にスクリュー螺旋が形成されて下部には前記駆動軸に駆動連結される動力連結部が形成された搾汁スクリューと、
前記搾汁ドラム内に設けられ、外壁に網構造物が形成された網ドラムと、
前記搾汁ドラムと前記網ドラムとの間に取り付けられ、回転駆動されながら前記搾汁ドラムの内周面と前記網ドラムの外周面を掃きだし、下部には前記連動ギヤに連結されるブラシリングギヤが備えられる回転ブラシと、
前記搾汁ドラムの外部の下部面に備えられ、前記ジューサー本体の駆動軸の駆動力を前記連動ギヤに伝達して前記回転ブラシを回転させるブラシ回転手段と、
前記搾汁ドラムの外部の下部面に着脱可能に結合され、固定された状態で前記ブラシ回転手段の下部を支持することができるブラシ回転手段用カバーとを含み、
前記ブラシ回転手段は、前記搾汁ドラムの外部の下部面と、前記搾汁ドラムの外部の下部面に結合されるブラシ回転手段用カバーとの間に配置されて支持されるジューサー用搾汁モジュール。
【請求項２】
前記ブラシ回転手段は、
前記駆動軸と前記連動ギヤを電動連結するギヤモジュールで形成されることを特徴とする請求項１に記載のジューサー用搾汁モジュール。
【請求項３】
前記ギヤモジュールは、外周面には第１ギヤ部が形成される第１軸ギヤと、上端は前記連動ギヤの中心軸に結合され、下部の外周面には前記第２ギヤ部が形成される第２軸ギヤとを含み、
前記駆動軸と前記搾汁スクリューの動力連結部と前記第１軸ギヤは一体に回転するように互いに結合され、
前記駆動軸の駆動力は前記第１軸ギヤと第２軸ギヤを通して前記連動ギヤに伝達されることを特徴とする請求項２に記載のジューサー用搾汁モジュール。
【請求項４】
前記ギヤモジュールは、
前記第１軸ギヤの第１ギヤ部と前記第２軸ギヤの第２ギヤ部との間に介在する電動ギヤをさらに含むことを特徴とする請求項３に記載のジューサー用搾汁モジュール。
【請求項５】
前記第１軸ギヤの上端は前記動力連結部に結合され、前記第１軸ギヤの下端は前記駆動軸に結合されることを特徴とする請求項３に記載のジューサー用搾汁モジュール。
【請求項６】
前記動力連結部は、前記第１軸ギヤを貫通し、前記第１軸ギヤに結合されることを特徴とする請求項３に記載のジューサー用搾汁モジュール。
【請求項７】
前記第１軸ギヤを貫通した前記動力連結部に前記駆動軸が結合されることを特徴とする請求項６に記載のジューサー用搾汁モジュール。
【請求項８】
前記駆動軸は、前記第１軸ギヤを貫通し、前記動力連結部に結合されることを特徴とする請求項３に記載のジューサー用搾汁モジュール。
【請求項９】
前記駆動軸は、前記第１軸ギヤの下端に結合され、前記第１軸ギヤの上端は前記動力連結部に結合されることを特徴とする請求項３に記載のジューサー用搾汁モジュール。
【請求項１０】
下向突出する駆動軸を備えるジューサー本体に取り付けられ、汁を搾るジューサー用搾汁モジュールにおいて、
前記ジューサー本体に取り付けられ、上面が開放され、下端に汁排出口と滓排出口がそれぞれ備えられ、内部床面には連動ギアが備えられる搾汁ドラムと、
前記搾汁ドラムの上面を覆うように取り付けられ、上側には投入口が備えられ、中央には前記駆動軸が回転可能に貫通される駆動軸貫通孔が形成される蓋と、
前記搾汁ドラムの内部に回転可能に取り付けられ、外面にスクリュー螺旋が形成され、上部には前記駆動軸に駆動連結される動力連結部が形成された搾汁スクリューと、
前記搾汁ドラム内に設けられ、外壁に網構造物が形成された網ドラムと、
前記搾汁ドラムと前記網ドラムとの間に取り付けられ、回転駆動されながら前記搾汁ドラムの内周面と前記網ドラムの外周面を掃きだし、下部には前記連動ギヤに連結されるブラシリングギヤが備えられる回転ブラシと、
前記搾汁ドラムの外部の下部面に備えられ前記搾汁スクリューの回転動力を前記連動ギヤに伝達して前記ブラシを回転させるブラシ回転手段と、
前記搾汁ドラムの外部の下部面に着脱可能に結合され、固定された状態で前記ブラシ回転手段の下部を支持することができるブラシ回転手段用カバーとを含み、
前記ブラシ回転手段は、前記搾汁ドラムの外部の下部面と、前記搾汁ドラムの外部の下部面に結合されるブラシ回転手段用カバーとの間に配置されて支持されるジューサー用搾汁モジュール。
【請求項１１】
前記ブラシ回転手段は、
前記搾汁スクリューと前記連動ギヤを電動連結するギヤモジュールで形成されることを特徴とする請求項１０に記載のジューサー用搾汁モジュール。
【請求項１２】
前記ギヤモジュールは、
前記搾汁スクリューの軸下端に結合して前記搾汁スクリューと一体に回転駆動され、外周面には第１ギヤ部が形成される第１軸ギヤと、上端は前記連動ギヤの中心軸に結合し、下部の外周面には前記第１ギヤ部と電動連結される第２ギヤ部が形成される第２軸ギヤを含むことを特徴とする請求項１１に記載のジューサー用搾汁モジュール。
【請求項１３】
前記ギヤモジュールは、
前記第１軸ギヤの第１ギヤ部と前記第２軸ギヤの第２ギヤ部との間に介在する電動ギヤをさらに含むことを特徴とする請求項１２に記載のジューサー用搾汁モジュール。
【請求項１４】
前記搾汁ドラムの下部面に結合して前記ブラシ回転手段の下部を覆って支持するブラシ回転手段用カバーをさらに含むことを特徴とする請求項１０に記載のジューサー用搾汁モジュール。
【発明の詳細な説明】
【技術分野】
【０００１】
本発明はジューサー用搾汁モジュールに関し、特に搾汁ドラムの内周面と網ドラムの外周面を掃きだす回転ブラシを回転駆動させるブラシ回転手段を改善したジューサー用搾汁モジュールに関する。
【背景技術】
【０００２】
ウェルビーイングと有機農製品に関する関心が高まるにつれ、一般家庭でも野菜、果物などを即席で直接汁を搾って飲むことはすでに一般化した日常になりつつある。これに家庭でも利用できるジューサーに対する開発と出願が持続的に行われている。
【０００３】
このようなジューサーの一例として、大韓民国登録特許第０７５５４４０号には、図１および図２に示すように、投入口１１１が形成され、内部中央に回転軸孔１１２が形成される蓋１１０と、蓋１１０の下部に設けられ、床には網ドラム案内突起１２１が形成され、外部の下段部には滓排出口１２２と汁排出口１２３が形成され、中央下段部には貫通孔１２４ａを有する放水円筒１２４が形成され、放水円筒１２４の下端周りには圧力排出路１２５が形成され、網ドラム案内突起１２１に第１開口１２６が圧力排出路１２５に連通するように形成され、第１開口１２６に連動ギヤ１２７が回転可能に設けられる搾汁ドラム１２０と、上部には回転軸孔１１２に回転可能に挿入される上部回転軸１３１が形成され、外面にはスクリュー螺旋１３２が複数形成され、下端には圧力排出路１２５に挿入され、連動ギヤ１２７に噛み合うスクリューリングギヤ１３３が突出形成されてスクリューリングギヤ１３３の内側には放水円筒１２１が挿入される下部空間１３５が形成され、下部の中心には角型軸孔１３４ａを有する下部回転軸１３４が形成される搾汁スクリュー１３０と、搾汁ドラム１２０内に設けられ、外壁は網構造物１４１からなり、内面には多数の壁面刃１４２が形成された網ドラム１４０と、搾汁ドラム１２０と網ドラム１４０との間に取り付けられて回転されながら搾汁ドラム１２０と網ドラム１４０を持続的に掃きだすブラシ部材１５１ａ、１５１ｂが取り付けられ、下部面には連動ギヤ１２７に噛み合うブラシリングギヤ１５２が備えられる回転ブラシ１５０と、内部には駆動モータ（図示せず）が備えられ、駆動モータの角型軸１６１は放水円筒１２４の貫通孔１２４ａを介して搾汁スクリュー１３０の角型軸孔１３４ａに挿入されて搾汁スクリュー１３０を回転駆動させる駆動本体１６０を含むジューサーが開示されている。
【０００４】
ここで、連動ギヤ１２７は網ドラム案内突起１２１の内側でスクリューリングギヤ１３３と噛み合い、網ドラム案内突起１２１の外側でブラシリングギヤ１５２と同時に噛み合う。したがって、駆動本体１６０の角型軸１６１から動力の伝達を受けた搾汁スクリュー１３０はスクリューリングギヤ１３３を介して連動ギヤ１２７に動力を伝達する。この時、図２に示すように搾汁スクリュー１３０が時計回りに回転する場合は連動ギヤ１２７は反時計回りに回転する。そしてブラシリングギヤ１５２により連動ギヤ１２７に噛み合った回転ブラシ１５０は連動ギヤ１２７の反時計回り回転に連動して反時計回りに回転するようになり、ブラシ部材１５１ａ、１５１ｂを介して搾汁ドラム１２０の内側面と網ドラム１４０の外側面を持続的に掃きだす。
【０００５】
しかし、前述したジューサーは連動ギヤ１２７が回転可能に設けられる第１開口１２６を介して滓が網ドラム１４０の外部に流出された材料の汁と混合される問題点があった。
【０００６】
また、前述したジューサーは構造的にスクリューリングギヤ１３３とブラシリングギヤ１５２の連動回転のための連動ギヤ１２７が搾汁ドラム１２０の内側床面のうち搾汁スクリュー１３０の下部と連結して備えられるしかなかったため、搾汁ドラム１２０の内部の設計自由度が低下する問題点があった。
【発明の概要】
【発明が解決しようとする課題】
【０００７】
本発明は搾汁ドラムの内側床面のうち搾汁スクリューが定着する領域に回転ブラシの連動回転のための連動ギアが備えられないことにより排出される滓が汁に流入することを防止するだけでなく、搾汁ドラムの内側床面に対する設計自由度が向上するジューサー用搾汁モジュールを提供することにある。
【課題を解決するための手段】
【０００８】
前述した課題を解決するため、本発明の一実施形態によるジューサー用搾汁モジュールは、上向突出する駆動軸を備えるジューサー本体に取り付けられ、汁を搾るジューサー用搾汁モジュールにおいて、前記ジューサー本体に取り付けられ、上面が開放され、下端に汁排出口と滓排出口がそれぞれ備えられ、内部床面の縁には連動ギアが備えられる搾汁ドラムと、前記搾汁ドラムの上面を覆うように取り付けられ、上側には投入口が備えられる蓋と、前記搾汁ドラムの内部に回転可能に取り付けられ、外面にスクリュー螺旋が形成されて下部には前記駆動軸に駆動連結される動力連結部が形成された搾汁スクリューと、前記搾汁ドラム内に設けられ、外壁は網構造物を含んでなる網ドラムと、前記搾汁ドラムと前記網ドラムとの間に取り付けられ、回転駆動されながら前記搾汁ドラムの内周面と前記網ドラムの外周面を掃きだし、下部には前記連動ギヤに連結されるブラシリングギヤが備えられる回転ブラシと、前記搾汁ドラムの下部面に備えられ、前記ジューサー本体の駆動力を前記連動ギヤに伝達して前記回転ブラシを回転させるブラシ回転手段を含むことを特徴とする。
【０００９】
また、前記ブラシ回転手段は、前記駆動軸と前記連動ギヤを電動連結するギヤモジュールで形成されることが好ましい。
【００１０】
また、前記ブラシ回転手段は、前記駆動軸と前記搾汁スクリューの動力連結部との間に介在して前記駆動軸により前記搾汁スクリューと一体に回転駆動され、外周面には第１ギヤ部が形成される第１軸ギヤと、上端は前記連動ギヤの中心軸に結合し、下部の外周面には前記第１ギヤ部と電動連結される第２ギヤ部が形成される第２軸ギヤを含むことが好ましい。
【００１１】
また、前記ブラシ回転手段は、前記第１軸ギヤの第１ギヤ部と前記第２軸ギヤの第２ギヤ部との間に介在する電動ギヤをさらに含むことが好ましい。
【００１２】
のみならず、本改善案の一実施形態によるジューサー用搾汁モジュールは、前記搾汁ドラムの下部面に結合して前記ブラシ回転手段の下部を覆って支持するブラシ回転手段用カバーをさらに含むことが好ましい。
【００１３】
また、前述した課題を解決するため、本改善案の他の実施形態によるジューサー用搾汁モジュールは、下向突出する駆動軸を備えるジューサー本体に取り付けられ、汁を搾るジューサー用搾汁モジュールにおいて、前記ジューサー本体に取り付けられ、上面が開放され、下端に汁排出口と滓排出口がそれぞれ備えられ、内部床面の縁には連動ギアが備えられる搾汁ドラムと、前記搾汁ドラムの上面を覆うように取り付けられ、上側には投入口が備えられ、中央には前記駆動軸が回転可能に貫通される駆動軸貫通孔が形成される蓋と、前記搾汁ドラムの内部に回転可能に取り付けられ、外面にスクリュー螺旋が形成され、上部には前記駆動軸に駆動連結される動力連結部が形成された搾汁スクリューと、前記搾汁ドラム内に設けられ、外壁は網構造物を含んでなる網ドラムと、前記搾汁ドラムと前記網ドラムとの間に取り付けられ、回転駆動されながら前記搾汁ドラムの内周面と前記網ドラムの外周面を掃きだし、下部には前記連動ギヤに連結されるブラシリングギヤが備えられる回転ブラシと、前記搾汁ドラムの下部面に備えられ、前記搾汁スクリューの回転動力を前記連動ギヤに伝達して前記ブラシを回転させるブラシ回転手段を含むことを特徴とする。
【００１４】
また、前記ブラシ回転手段は、前記搾汁スクリューと前記連動ギヤを電動連結するギヤモジュールで形成されることが好ましい。
【００１５】
また、前記ブラシ回転手段は、前記搾汁スクリューの軸下端に結合し、前記前記搾汁スクリューと一体に回転駆動され、外周面には第１ギヤ部が形成される第１軸ギヤと、上端は前記連動ギヤの中心軸に結合し、下部の外周面には前記第１ギヤ部と電動連結される第２ギヤ部が形成される第２軸ギヤを含むことが好ましい。
【００１６】
また、前記ブラシ回転手段は、前記第１軸ギヤの第１ギヤ部と前記第２軸ギヤの第２ギヤ部との間に介在する電動ギヤをさらに含むことが好ましい。
【００１７】
のみならず、本改善案の一実施形態によるジューサー用搾汁モジュールは、前記搾汁ドラムの下部面に結合して前記ブラシ回転手段の下部を覆って支持するブラシ回転手段用カバーをさらに含むことが好ましい。
【発明の効果】
【００１８】
本発明によるジューサー用搾汁モジュールによれば、回転ブラシの連動回転のための連動ギアが搾汁ドラムの内側床面のうち搾汁スクリューが定着する領域に配列されず、搾汁ドラムの内側床面のうち縁側に位置することができる。また、ジューサー本体の駆動軸の駆動力またはそれによる搾汁スクリューの回転動力を連動ギヤに伝達し、回転ブラシを連動回転させるブラシ回転手段が搾汁ドラムの下部面に備えられることにより、汁に滓が流入することを阻止することができる。のみならず、搾汁ドラムの内側床面に対する設計自由度が向上し、多様でかつ制限のない搾汁ドラムの下部の構造設計が可能になり、本体の上部構造が複雑にならず、かつ搾汁ドラムを本体に結合することが容易である。また滓排出が円滑でかつ均一であり、搾汁がより効率的に行われ得る効果がある。
【００１９】
本発明によるジューサー用搾汁モジュールの構造は、通常の下部駆動型ジューサーのみならず上部駆動型ジューサーにも適用できることにより駆動形態を問わず回転ブラシを必要とするすべての種類のジューサーに適用できるという効果がある。
【００２０】
【００２１】
発明の効果は発明者の認知可否に関係なく、発明の構成によって当然発揮されるものである。したがって、上述した効果は本改善案による例示的効果だけであり、発明者が把握したまたは実在する全ての効果を記載したものとして認めてはならない。したがって、本発明の効果−は明細書の全体的な記載により追加的に把握されなければならず、たとえ明示的な文章に記載されていなくても本発明が属する技術分野で通常の知識を有する者が本明細書を通してそのような効果があると認められる効果であれば本明細書に記載された効果として見なすべきである。
【図面の簡単な説明】
【００２２】
図１は、回転ブラシを備えた従来のジューサーの分解斜視図である。
【００２３】
図２は、図１の回転ブラシの回転駆動を説明する作動図である。
【００２４】
図３は、本発明の一実施形態によるジューサー用搾汁モジュールの分解斜視図である。
【００２５】
図４は、本発明の一実施形態によるジューサー用搾汁モジュールの断面図である。
【００２６】
図５は、本発明のブラシ回転手段による回転ブラシの回転駆動を説明する作動図である。
【００２７】
図６は、本発明の他の実施形態によるジューサー用搾汁モジュールの分解斜視図である。
【００２８】
図７は、本発明の他の実施形態によるジューサー用搾汁モジュールの断面図である。
【００２９】
図８は、本発明のまた他の実施形態によるジューサー用搾汁モジュールの断面図である。
【発明を実施するための形態】
【００３０】
以下、添付図面を参照して本発明の好ましい実施形態について詳しく説明する。
【００３１】
本明細書および請求範囲に使用された用語や単語は通常的であるか、辞典的な意味に限定して解釈されてはならず、「発明者は、発明者自身の発明を最も最良の方法で説明するために用語の概念を適切に定義できる」という原則に基づいて本発明の技術的な思想に符合する意味と概念として解釈されなければならない。したがって、本明細書に記載された説明および図面に示す構成は本発明の好ましい例示に過ぎず、本改善案の技術的な思想を全て代弁するものではないため、本出願時点においてこれらを代替できる多様な均等物と変形例があり得ることを理解しなければならない。
【００３２】
【００３３】
本発明の一実施形態によるジューサー用搾汁モジュールは図３および図４に示すように、駆動軸５ａが備えられる下部駆動形態のジューサー本体３に取り付けられて汁を搾る機能を遂行する。
【００３４】
【００３５】
ここで、ジューサー本体３は搾汁スクリュー３０の回転駆動力を発生させるものであり、内部には通常の駆動モータ５が備えられ、この駆動モータ５の駆動軸５ａは搾汁スクリュー３０に駆動力を伝達できるように上向突出され、上側には搾汁ドラム１０が着脱可能に安着結合される搾汁ドラム安着部７が形成される。
【００３６】
駆動モータ５は搾汁スクリュー３０を低速で回転させる駆動力を提供する構成要素として、上部に突出した駆動軸５ａを備え、ジューサーの形態、用途または目的に応じて多様に選択可能である。
【００３７】
搾汁ドラム安着部７は、搾汁ドラム１０がジューサー本体３に取り付けおよび支持されるように設けられた構成要素として、ジューサー本体３の上側に搾汁ドラム１０の下面に対応する形状からなり、地面から所定間隔離隔した状態で搾汁ドラム１０を安定的に支持できる形態を備える。
【００３８】
【００３９】
前述したジューサー本体３に取り付けられる本発明の一実施形態によるジューサー用搾汁モジュールは、図３ないし図５に示すように、搾汁ドラム１０、蓋２０、搾汁スクリュー３０、網ドラム４０、回転ブラシ５０およびブラシ回転手段６０を含んでなる。
【００４０】
【００４１】
ここで、搾汁ドラム１０は内部に搾汁スクリュー３０、網ドラム４０および回転ブラシ５０を収容する構成要素として、上面が開放され、ジューサー本体３の搾汁ドラム安着部７に安着する。
【００４２】
搾汁ドラム１０の下端には汁排出口１１と滓排出口１３（図５参照）がそれぞれ離隔形成されるが、この汁排出口１１と滓排出口１３はそれぞれ汁または滓が容易に排出できるように前面が開放されたパイプ形状に突出形成される。
【００４３】
搾汁ドラム１０の内部床面には連動ギヤ１５が備えられるが、この連動ギヤ１５はブラシ回転手段６０を介して駆動軸５ａの回転駆動力の伝達を受けて回転ブラシ５０を回転駆動させる構成要素である。
【００４４】
連動ギヤ１５は、搾汁ドラム１０の内側床面のうち搾汁スクリュー３０が定着する領域に配列されず、搾汁ドラム１０の内部床面の縁に備えられることにより回転ブラシ５０のブラシリングギヤ５５の外側または内側で接するように連結され得る。このような連動ギヤ１５の配置は搾汁ドラム１０の内側床面、特に搾汁スクリュー３０の下部に位置する搾汁ドラム１０の内側床面に対する空間活用度と設計自由度を向上させることにより多様でかつ制限のない搾汁ドラム１０の下部構造設計を可能にする。
【００４５】
【００４６】
前述した搾汁ドラム１０の上面には蓋２０が着脱可能に結合されるが、この蓋２０は搾汁ドラム１０の開放された上面を覆うことができるようにその下部が搾汁ドラム１０の上面と対応する形状からなる構成要素である。蓋２０の下面は開放された形態であり、その上面の一側には材料を入れるように上部に突出形成される投入口２１が下面まで貫通形成され、下部中央には搾汁スクリュー３０の軸上端が回転可能に結合される軸結合孔２３が形成される。
【００４７】
【００４８】
前述した搾汁ドラム１０の内部には搾汁スクリュー３０が回転可能に取り付けられるが、この搾汁スクリュー３０は網ドラム４０内で回転駆動されながら網ドラム４０との間に投入された材料が圧縮、圧搾または粉砕するようにして汁が生成されるようにする構成要素である。このような搾汁スクリュー３０の外面には網ドラム４０内部と接して材料を押し搾りながら隙間が狭い下側に移送して圧搾させる複数のスクリュー螺旋３１が形成され、下部にはジューサー本体３から発生される駆動力の伝達を受ける動力連結部３３が形成される。
【００４９】
【００５０】
動力連結部３３は、駆動モータ５で発生した駆動力が搾汁スクリュー３０に伝達されるように搾汁スクリュー３０の下面に形成される構成要素である。このような動力連結部３３は後述するブラシ回転手段の第１軸ギヤ６１の上端が嵌め込まれる多角溝の形態であることが好ましい。また他の実施形態として図６および図７に示すように動力連結部３３″は、本体の駆動軸５ａが後述するブラシ回転手段の第１軸ギヤ６１″を貫通して嵌め込まれる多角溝の形態であり得る。しかし、駆動モータ５の駆動力を搾汁スクリュー３０に伝達できるものであれば、多様な変形が可能である。
【００５１】
【００５２】
再び図３ないし図５を参照すると、前述した搾汁ドラム１０内には網ドラム４０が取り付けられるが、この網ドラム４０は投入口２１を介して搾汁ドラム１０内に投入された材料が搾汁スクリュー３０の回転により搾汁スクリュー３０と網ドラム４０との間で圧縮、圧搾または粉砕しながら生成された汁が網ドラム４０の外部に流出されるように外壁は網構造物４１を含む。また網ドラム４０は全体的に上面および下面が開放されている上広下狭の形態に形成される。
【００５３】
搾汁スクリュー３０の回転により網ドラム４０との相互作用により搾汁された汁は網ドラム４０の網構造物４１を介して流出され、搾汁スクリュー３０の回転により網ドラム４０との相互作用により搾汁後に残った滓は網ドラム４０の下部を介して滓排出口１３に排出される。
【００５４】
【００５５】
前述した搾汁ドラム１０と網ドラム４０との間には回転ブラシ５０が設けられるが、この回転ブラシ５０は搾汁ドラム１０と網ドラム４０との間で回転駆動されながら搾汁ドラム１０の内周面と網ドラム４０の外周面を持続的に掃きだす構成要素である。
【００５６】
回転ブラシ５０の縁の半径方向の外側には搾汁ドラム１０の内周面を持続的に掃きだす第１ブラシ部材５１が備えられ、回転ブラシ５０の縁の半径方向の内側には網ドラム４０の外周面を持続的に掃きだす第２ブラシ部材５３が備えられる。第１および第２ブラシ部材５１、５３は搾汁ドラム１０の内周面と網ドラム４０の外周面をスムースに掃きだすことができるように人体に無害な軟質シリコン材質で備えられることが好ましい。
【００５７】
回転ブラシ５０の下部にはブラシリングギヤ５５が備えられるが、このブラシリングギヤ５５は連動ギヤ１５に外接または内接して連結されることにより回転ブラシ５０が連動ギヤ１５の回転に連動されて回転できるようにする。
【００５８】
【００５９】
前述した搾汁ドラム１０の下部面にはブラシ回転手段６０が備えられるが、このブラシ回転手段６０はジューサー本体３の駆動軸５ａの駆動力を伝達して搾汁スクリュー３０と回転ブラシ５０を回転させる構成要素である。
【００６０】
ブラシ回転手段６０は、図３乃至図５に示すように、ジューサー本体３の駆動軸５ａと搾汁ドラム１０の連動ギヤ１５を電動連結するギヤモジュールで形成されることが好ましいが、ジューサー本体３の駆動軸５ａと搾汁ドラム１０の連動ギヤ１５を電動連結する多様な電動手段に代替されることもできる。
【００６１】
ブラシ回転手段６０がジューサー本体３の駆動軸５ａと搾汁ドラム１０の連動ギヤ１５を電動連結するギヤモジュールで形成される場合、ブラシ回転手段６０はジューサー本体３の駆動軸５ａと搾汁スクリュー３０の動力連結部３３との間に介在して駆動軸５ａにより搾汁スクリュー３０と一体に回転駆動され、外周面には第１ギヤ部６１ａが形成される第１軸ギヤ６１と、上端は連動ギヤ１５の中心軸に結合され、下部の外周面には第１ギヤ部６１ａと電動連結される第２ギヤ部６３ａが形成される第２軸ギヤ６３を含む構成を有する。しかし、これに限定されず、図６および図７に示すように、ブラシ回転手段６０″は、搾汁スクリュー３０の動力連結部３３″の外部面と噛み合って一体に回転駆動され、その外周面には第１ギヤ部６１ａが形成される第１軸ギヤ６１″と、連動ギヤ１５″の中心軸に結合され、外周面には第１ギヤ部６１ａと電動連結される第２ギヤ部６３ａが形成される第２軸ギヤ６３″を含む構成を有し得るなど多様な形態の変更が可能である。
【００６２】
再び図３ないし図５を参照すると、ブラシ回転手段６０は、第１軸ギヤ６１の第１ギヤ部６１ａと第２軸ギヤ６３の第２ギヤ部６３ａとの間に介在する電動ギヤ６５をさらに含むことが好ましい。
【００６３】
【００６４】
また、前述したブラシ回転手段６０が設けられた搾汁ドラム１０の下部面にはブラシ回転手段用カバー７０が結合される。このブラシ回転手段用カバー７０は、前述したブラシ回転手段６０の下部を覆って支持する構成要素として、全体的に上端が開放された函体形状に形成されてパッキングと締結部材（図示せず）により搾汁ドラム１０の下部面に放水されるように結合される。また他の実施形態として前記ブラシ回転手段用カバー７０″は、図６および図７に示すように、第１ギヤ部６１ａの下面にリング溝６１ｂ″が形成され、ブラシ回転手段用カバー７０″にはリング溝６１ｂ″に挿入されて第１軸ギヤ６１″を支持するリング突起７０ａ″が形成されてブラシ回転手段６０″を支持することもできる。
【００６５】
【００６６】
以下、図５を参照して本発明の一実施形態によるジューサー用搾汁モジュールにおいて回転ブラシ５０がブラシ回転手段６０により回転駆動される作動関係について次の通り説明する。
【００６７】
第１および第２軸ギヤ６１、６３と電動ギヤ６５を含むブラシ回転手段６０がジューサー本体３の駆動軸５ａと搾汁ドラム１０の連動ギヤ１５との間に介在した状態で、図５に示すようにジューサー本体３の駆動軸５ａが時計回りに回転する場合、第１ギヤ部６１ａを含む第１軸ギヤ６１も駆動軸５ａと共に時計回りに回転する。
【００６８】
そのために第１ギヤ部６１ａと第２ギヤ部６３ａとの間に介在する電動ギヤ６５が反時計回りに回転しながら第２ギヤ部６３ａを含む第２軸ギヤ６３を時計回りに回転させる。
【００６９】
そのために第２軸ギヤ６３の上端に固定結合される連動ギヤ１５が時計回りに回転するようになり、最終的に連動ギヤ１５に外接して噛み合ったブラシリングギヤ５５により回転ブラシ５０が最終的に反時計回りに回転する。つまり、回転ブラシ５０はジューサー本体３の駆動軸５ａによる搾汁スクリュー３０の回転方向と反対方向に回転する。図面に示していないが、ジューサー本体３の駆動軸５ａが反時計回りに回転する場合、回転ブラシ５０はジューサー本体３の駆動軸５ａによる搾汁スクリュー３０の回転方向と反対である時計回りに回転することは自明である。
【００７０】
【００７１】
前述したような本発明の一実施形態によるジューサー用搾汁モジュールの場合、回転ブラシ５０の連動回転のための連動ギヤ１５が搾汁ドラム１０の内側床面のうち搾汁スクリュー３０が定着する領域に配列されず、搾汁ドラム１０の内側床面のうち縁側に位置すると同時に、ジューサー本体３の駆動軸５ａの駆動力を連動ギヤ１５に伝達して回転ブラシ５０を連動回転させるブラシ回転手段６０が搾汁ドラムの下部面に備えられることにより、滓が汁に流入することを阻止できるだけでなく、搾汁ドラム１０の内側床面に対する設計自由度が向上して多様でかつ制限のない搾汁ドラム１０の下部の構造設計が可能になり、滓排出が円滑でかつ均一であり、より効率的に搾汁が行われることができる。
【００７２】
【００７３】
本発明の他の実施形態によるジューサー用搾汁モジュールは図８に示すように、下向突出する駆動軸５ａ′が備えられる上部駆動形態のジューサー本体３′に取り付けられて汁を搾る機能を遂行する。
【００７４】
【００７５】
ここで、ジューサー本体３′は、搾汁スクリュー３０′の回転駆動力を発生させるものであって、内部には通常の駆動モータ５′が備えられ、駆動軸５ａ′は上部へ向かう駆動モータ５′の軸に離隔した状態で駆動モータ５′の軸との間に配列される電動連結モジュール５ｂ′により駆動モータ５′に電動連結されて回転駆動される。
【００７６】
駆動軸５ａ′の下端は蓋２０′を貫通して搾汁スクリュー３０′の上端に駆動結合するように下向突き出され、ジューサー本体３′には搾汁ドラム１０′が着脱可能に安着結合される搾汁ドラム安着部７′が形成される。
【００７７】
駆動モータ５′は搾汁スクリュー３０′を低速で回転させる駆動力を提供する構成要素として、電動連結モジュール５ｂ′により下向突出した駆動軸５ａ′に電動連結され、ジューサーの形態、用途または目的に応じて多様に選択可能である。
【００７８】
搾汁ドラム安着部７′は搾汁ドラム１０′がジューサー本体３′に取り付けおよび支持されるように設けられた構成要素であって、ジューサー本体３′の上側に搾汁ドラム１０′の下面に対応する形状からなり、地面から所定間隔離隔した状態で搾汁ドラム１０′を安定的に支持できるものであればいかなる形態でもよい。
【００７９】
【００８０】
前述したジューサー本体３′に取り付けられる本発明の他の実施形態によるジューサー用搾汁モジュールは搾汁ドラム１０′、蓋２０′、搾汁スクリュー３０′、網ドラム４０′、回転ブラシ５０′およびブラシ回転手段６０′を含んでなる。
【００８１】
【００８２】
ここで、搾汁ドラム１０′は、内部に搾汁スクリュー３０′、網ドラム４０′および回転ブラシ５０′を収容する構成要素として、上面が開放され、ジューサー本体３′の搾汁ドラム安着部７′に安着する。
【００８３】
搾汁ドラム１０′の下端には汁排出口１１′と滓排出口（詳しく図示せず）がそれぞれ離隔形成されるが、特に汁排出口１１′および滓排出口はそれぞれ汁または滓が容易に排出できるように前面が開放されたパイプ形状に突出形成される。
【００８４】
搾汁ドラム１０′の内部床面には連動ギヤ１５′が備えられるが、この連動ギヤ１５′はブラシ回転手段６０′と搾汁スクリュー３０′を介して駆動軸５ａ′から駆動力の伝達を受けて回転ブラシ５０′を回転駆動させる構成要素である。
【００８５】
連動ギヤ１５′は搾汁ドラム１０′の内側床面のうち搾汁スクリュー３０′が定着される領域に配列されず、搾汁ドラム１０′の内部床面の縁に備えられることにより回転ブラシ５０′のブラシリングギヤ５５′の外側または内側で接して連結される。このような連動ギヤ１５′の配置は搾汁ドラム１０′の内側床面、特に搾汁スクリュー３０′の下部に位置する搾汁ドラム１０′の内側床面に対する空間活用度と設計自由度を向上させることにより多様でかつ制限のない搾汁ドラム１０′の下部構造設計を可能にする。
【００８６】
【００８７】
前述した搾汁ドラム１０′の上面には蓋２０′が着脱可能に結合されるが、この蓋２０′は搾汁ドラム１０′の開放された上面を覆うようにその下部が搾汁ドラム１０′の上面と対応する形状からなる構成要素であって、下面は開放された形態であり、その上面の一側には材料を入れるように上部に突出形成される投入口２１′が下面まで貫通形成される。
【００８８】
また、駆動軸５ａ′が搾汁ドラム１０′内の搾汁スクリュー３０′に結合されるように蓋２０′の中央には駆動軸５ａ′が回転可能に貫通される駆動軸貫通孔２３′が形成される。
【００８９】
【００９０】
前述した搾汁ドラム１０′の内部には搾汁スクリュー３０′が回転可能に取り付けられるが、この搾汁スクリュー３０′は網ドラム４０′内で回転駆動されながら網ドラム４０′との間に投入された材料が圧縮、圧搾または粉砕するようにして搾汁させる構成要素である。このような搾汁スクリュー３０′の外面には網ドラム４０′の内部と接して材料を押し搾りながら隙間が狭い下側に移送して圧搾させる複数のスクリュー螺旋３１′が形成され、上端にはジューサー本体３′の駆動軸５ａ′に駆動連結される動力連結部３３′が形成される。
【００９１】
動力連結部３３′は駆動モータ５′で発生した駆動力が搾汁スクリュー３０′に伝えられるように搾汁スクリュー３０′の上部に形成される構成要素である。このような動力連結部３３′は駆動軸５ａ′が嵌め込まれる多角溝の形態であることが好ましいが、駆動モータ５′の駆動力を搾汁スクリュー３０′に伝達できるものであれば、多様な変形が可能である。
【００９２】
【００９３】
前述した搾汁ドラム１０′内には網ドラム４０′が取り付けられるが、この網ドラム４０′は投入口２１′を介して搾汁ドラム１０′内に投入された材料が搾汁スクリュー３０′の回転により搾汁スクリュー３０′と網ドラム４０′との間で圧縮、圧搾または粉砕しながら生成された汁が網ドラム４０′の外部に流出されるように、外壁は網構造物（図示せず）を含む。また網ドラム４０′は全体的に上面および下面が開放されている上広下狭の形態に形成される。
【００９４】
搾汁スクリュー３０′の回転により網ドラム４０′との相互作用により搾汁された汁は網ドラム４０′の網構造物を介して流出され、搾汁後に残った滓は網ドラム４０′の下部を介して滓排出口に排出する。
【００９５】
前述した搾汁ドラム１０′と網ドラム４０′との間には回転ブラシ５０′が設けられるが、この回転ブラシ５０′は搾汁ドラム１０′と網ドラム４０′との間で回転駆動されながら搾汁ドラム１０′の内周面と網ドラム４０′の外周面を持続的に掃きだす構成要素である。
【００９６】
回転ブラシ５０′の縁の半径方向の外側には搾汁ドラム１０′の内周面を持続的に掃きだす第１ブラシ部材５１′が備えられ、回転ブラシ５０′の縁の半径方向の内側には網ドラム４０′の外周面を持続的に掃きだす第２ブラシ部材５３′が備えられる。第１および第２ブラシ部材５１′、５３′は搾汁ドラム１０′の内周面と網ドラム４０′の外周面をスムースに掃きだすことができるように人体に無害な軟質シリコン材質で備えられることが好ましい。
【００９７】
回転ブラシ５０′の下部にはブラシリングギヤ５５′が備えられるが、このブラシリングギヤ５５′は連動ギヤ１５′に接して回転ブラシ５０′が連動ギヤ１５′の回転に連動されて回転できるようにする。
【００９８】
【００９９】
前述した搾汁ドラム１０′の下部面にはブラシ回転手段６０′が備えられるが、このブラシ回転手段６０′はジューサー本体３′の駆動軸５ａ′による搾汁スクリュー３０′の回転動力を連動ギヤ１５′に伝達して窮極的に回転ブラシ５０′を回転させる構成要素である。
【０１００】
ブラシ回転手段６０′は、搾汁スクリュー３０′と搾汁ドラム１０′の連動ギヤ１５′を電動連結するギヤモジュールで形成されることが好ましいが、搾汁スクリュー３０′の軸下端と搾汁ドラム１０′の連動ギヤ１５′を電動連結する多様な電動手段に代替されることもできる。
【０１０１】
ブラシ回転手段６０′が搾汁スクリュー３０′の軸下端と搾汁ドラム１０′の連動ギヤ１５′を電動連結するギヤモジュールで形成される場合、ブラシ回転手段６０′は、搾汁スクリュー３０′の軸下端に結合されて搾汁スクリュー３０′と一体に回転駆動され、外周面には第１ギヤ部６１ａ′が形成される第１軸ギヤ６１′と、上端は連動ギヤ１５′の中心軸に結合され、下部の外周面には第１ギヤ部６１ａ′と電動連結される第２ギヤ部６３ａ′が形成される第２軸ギヤ６３′を含む構成を有する。
【０１０２】
また、この場合にブラシ回転手段６０′は第１軸ギヤ６１′の第１ギヤ部６１ａ′と第２軸ギヤ６３′の第２ギヤ部６３ａ′との間に介在する電動ギヤ６５′をさらに含むことが好ましい。
【０１０３】
【０１０４】
また、前述したブラシ回転手段６０′が設けられた搾汁ドラム１０′の下部面にはブラシ回転手段用カバー７０′が結合されるが、このブラシ回転手段用カバー７０′は前述したブラシ回転手段６０′の下部を覆って支持する構成要素として、全体的に上端が開放された函体形状に形成され、締結部材（図示せず）により搾汁ドラム１０′の下部面に放水可能に結合される。しかし、これに限定されず、ブラシ回転手段用カバーは搾汁ドラムの下部面に備えられるブラシ回転手段を支持できる構成であればいかなる形態にも多様に変形可能である。
【０１０５】
【０１０６】
前述したような本発明の他の実施形態によるジューサー用搾汁モジュールの場合、回転ブラシ５０′の連動回転のための連動ギヤ１５′が搾汁ドラム１０′の内側床面のうち搾汁スクリュー３０′が定着する領域に配列されず、搾汁ドラム１０′の内側床面のうち縁側に位置すると同時にジューサー本体３′の駆動軸５ａ′による搾汁スクリュー３０′の回転動力を連動ギヤ１５′に伝達して回転ブラシ５０′を連動回転させるブラシ回転手段６０′が搾汁ドラム１０′の下部面に備えられることにより、滓が汁に流入することを阻止するだけでなく、搾汁ドラム１０′の内側の床面に対する設計自由度が向上して多様でかつ制限のない搾汁ドラム１０′の下部の構造設計が可能になるので、滓排出が円滑でかつ均一であり、より効果的に搾汁が行われることができる。
【０１０７】
【０１０８】
以上のように、特定実施形態と図面を参照して本発明について説明したが、本発明はこれによって限定されてはならず、本発明が属する技術分野で通常の知識を有する者であれば、本発明の技術思想と特許請求の範囲およびその均等範囲内で多様に修正および変形できることは勿論である。したがって、本発明の範囲は説明した実施形態と図面によって限定されず、特許請求の範囲およびそれと均等なものによって定めなければならない。
【符号の説明】
【０１０９】
３、３′  ジューサー本体
５、５′  駆動モータ
５ａ、５ａ′  駆動軸
７、７′  搾汁ドラム安着部
１０、１０′  搾汁ドラム
１１、１１′  汁排出口
１３、１３′  滓排出口
１５、１５′、１５″  連動ギヤ
２０、２０′  蓋
２１、２１′  投入口
２３  軸結合孔
２３′  駆動軸貫通孔
３０、３０′  搾汁スクリュー
３１、３１′  スクリュー螺旋
３３、３３′、３３″  動力連結部
４０、４０′  網ドラム
４１  網構造物
５０、５０′  回転ブラシ
５１、５１′  第１ブラシ部材
５３、５３′  第２ブラシ部材
５５、５５′  ブラシリングギヤ
６０、６０′、６０″  ブラシ回転手段
６１、６１′、６１″  第１軸ギヤ
６１ａ、６１ａ′  第１ギヤ部
６３、６３′、６３″  第２軸ギヤ
６３ａ、６３ａ′  第２ギヤ部
６５、６５′  電動ギヤ
７０、７０′、７０″  ブラシ回転手段用カバー
【産業上の利用可能性】
【０１１０】
本発明による一実施形態はジューサー用搾汁モジュールとして用いることができる。
【図１】
0006686010.tif 000002
【図２】
0006686010.tif 000003
【図３】
0006686010.tif 000004
【図４】
0006686010.tif 000005
【図５】
0006686010.tif 000006
【図６】
0006686010.tif 000007
【図７】
0006686010.tif 000008
【図８】
0006686010.tif 000009